(57)【要約】      （修正有）【課題】複数のパッシブサンプラーを簡単に設置可能なセッティング補助具を提供する。【解決手段】パッシブサンプラーセッティング補助具１の台板の中央に三脚取り付け部４を設け、左右対称に両外側から内側に掛けてクリップ付パッシブサンプラー用の長溝部５Ａ、５Ｂ、縦向きのキャップ付パッシブサンプラー用の縁付縦穴部６Ａ、６Ｂ、縦向きの段付パッシブサンプラー用の段付縦穴部７Ａ、７Ｂが設けられている。最内側には、左右対称に係止板８Ａ、８Ｂが台板２の前後方向に延設されて互いに平行に立設されており、係止板８Ａ、８Ｂの奥側の凹部９Ａ、９Ｂと、手前側の凹部１０Ａ、１０Ｂに各々横向きのパッシブサンプラーを載置可能となっている。【選択図】図１
0003162272.tif 000002
【実用新案登録請求の範囲】
【請求項１】
パッシブサンプラー設置用の台板を有し、
この台板に、
縦向きのパッシブサンプラーを挿脱自在に差し込み、係止させることの可能な縦穴から成る第１の種類の支持部と、
横向きのパッシブサンプラーを載置可能な凹部を有する第２の種類の支持部と、
ワニ口クリップ付パッシブサンプラーのワニ口クリップを着脱自在に噛合可能な第３の種類の支持部の内、
少なくとも１つの種類の支持部を含むとともに、合わせて２個以上の支持部を備えたこと、
を特徴とするパッシブサンプラーのセッティング補助具。
【請求項２】
少なくとも１つの種類の支持部について、同一の支持部を２個以上有すること、
を特徴とする請求項１記載のパッシブサンプラーのセッティング補助具。
【請求項３】
台板に脚を着脱自在に取り付け可能な脚取り付け部を備えたこと、
を特徴とする請求項１または２記載のパッシブサンプラーのセッティング補助具。
【請求項４】
台板に脚を装着したこと、
を特徴とする請求項１または２記載のパッシブサンプラーのセッティング補助具。
【考案の詳細な説明】
【技術分野】
【０００１】
本考案はパッシブサンプラーのセッティング補助具に係り、とくに複数のパッシブサンプラーを設置可能としたパッシブサンプラーのセッティング補助具に関する。
【背景技術】
【０００２】
従来から、ポンプを用いずに室内のホルムアルデヒド、ＶＯＣ（揮発性有機化合物）、ＮＯX （ＮＯ、ＮＯ2 などの窒素酸化物）などを測定できるようにした多種類のパッシブサンプラーが実用化されている（特開平１０−３００６４７号公報、特開２００２−３５７５１７号公報、特開２００３−１８５５４１号公報など）。パッシブサンプラーは測定前はアルミ製の密封保存袋やガラス製またはプラスチック製の密封保存容器に入れられており、使用時に密封保存袋や密封保存容器から取り出し、天井から紐で床上１．４ｍの高さに所定時間（例えば、２４時間）だけ吊り下げるなどして測定対象成分を捕集させたあと、密封保存袋や密閉保存容器に戻し、分析機関にてガスクロマトグラフィーなどにより測定対象成分の濃度分析を行なうようにしている（特開２００２−３５７５１７号公報参照）。
【０００３】
しかしながら、パッシブサンプラーに紐を取り付けて吊持することは、作業に手間が掛かり、同時に複数種の項目を測定したい場合や、信頼性を高めるため同種の項目を同一のパッシブサンプラーまたはメーカの異なるパッシブサンプラーにより二重測定したい場合など、同時に複数のパッシブサンプラーを使用したい場合には手早く行う必要も有り、面倒な作業となっていた。
【先行技術文献】
【特許文献】
【０００４】
【特許文献１】特開平１０−３００６４７号公報
【特許文献２】特開２００２−３５７５１７号公報
【特許文献３】特開２００３−１８５５４１号公報
【考案の概要】
【考案が解決しようとする課題】
【０００５】
本考案は上記した従来技術の問題に鑑み、複数のパッシブサンプラーを簡単に設置できるパッシブサンプラーのセッティング補助具を提供することを、その目的とする。
【課題を解決するための手段】
【０００６】
請求項１記載の考案では、パッシブサンプラー設置用の台板を有し、この台板に、縦向きのパッシブサンプラーを挿脱自在に差し込み、係止させることの可能な縦穴から成る第１の種類の支持部と、横向きのパッシブサンプラーを載置可能な凹部を有する第２の種類の支持部と、ワニ口クリップ付パッシブサンプラーのワニ口クリップを着脱自在に噛合可能な第３の種類の支持部の内、少なくとも１つの種類の支持部を含むとともに、合わせて２個以上の支持部を備えたこと、を特徴としている。
請求項２記載の考案では、少なくとも１つの種類の支持部について、同一の支持部を２個以上有すること、を特徴としている。
請求項３記載の考案では、台板に脚を着脱自在に取り付け可能な脚取り付け部を備えたこと、を特徴としている。
請求項４記載の考案では、台板に脚を装着したこと、を特徴としている。
【考案の効果】
【０００７】
本考案によれば、複数のパッシブサンプラーを１つの台板に設けられた第１の種類の支持部の縦穴に差し込んだり、或いは、第２の種類の支持部の凹部に横向きに載置したり、或いは、第３の種類の支持部にクリップ止めしたりするだけで、簡単にセッティングすることが可能になる。
また、他の考案によれば、同一のパッシブサンプラーを２個以上セッティングして二重測定することもできる。
また、更に他の考案によれば、脚により所望の測定高さに簡単にセッティングすることができる。
【図面の簡単な説明】
【０００８】
【図１】本考案の第１実施例に係るパッシブサンプラーセッティング補助具の外観斜視図である（実施例１）。
【図２】図１の平面図である。
【図３】図２の左側面図である。
【図４】図２のＩＶ−ＩＶ´線に沿った縦断面図である。
【図５】ワニ口クリップ付パッシブサンプラーの外観斜視図である。
【図６】２種類のキャップ付パッシブサンプラーを示す外観斜視図である。
【図７】２種類のローラ形パッシブサンプラーを示す外観斜視図である。
【図８】図１の使用状態を示す一部省略した斜視図である。
【図９】図１の使用状態を示す一部省略した断面図である。
【図１０】図１の使用状態を示す一部省略した斜視図である。
【図１１】図１の使用状態を示す一部省略した断面図である。
【図１２】図１の使用状態を示す一部省略した斜視図である。
【図１３】図１の使用状態を示す一部省略した断面図である。
【図１４】図１の使用状態を示す一部省略した斜視図である。
【図１５】図１の使用状態を示す一部省略した断面図である。
【図１６】本考案の変形例に係るパッシブサンプラーセッティング補助具の外観斜視図である。
【図１７】図１６の平面図である。
【図１８】図１６の左側面図である。
【考案を実施するための最良の形態】
【０００９】
以下、本考案の最良の形態を実施例に基づき説明する。
【実施例１】
【００１０】
図１乃至図４を参照して本考案に係るパッシブサンプラーセッティング補助具の第１実施例を説明する。
図１はパッシブサンプラーセッティング補助具の本体を示す外観斜視図、図２は平面図、図３は側面図、図４は図２のＩＶ−ＩＶ´線に沿った縦断面図である。１はパッシブサンプラーセッティング補助具であり、測定対象やメーカにより、形状や使用時の向きなどが異なる複数種のパッシブサンプラーに対応している。また、同一のパッシブサンプラーも同時に２個セッティング可能になつている。パッシブサンプラーセッティング補助具１の内、２は長方形状の台板であり、プラスチック、ガラス、ステンレス鋼などの材質で形成されている。台板２の中央には、スタンドとしての三脚３を着脱自在に取り付け可能なメスネジ穴部から成る三脚取り付け部４が設けられている。台板２には、左右対称に両外側から内側に掛けて前後方向に延びた長溝部５Ａ、５Ｂ、縁付縦穴部６Ａ、６Ｂ、段付縦穴部７Ａ、７Ｂが設けられている。最内側には、左右対称に係止板８Ａ、８Ｂが台板２の前後方向に延設されて互いに平行に立設されており、係止板８Ａ、８Ｂの奥側に略部分楕円形の凹部９Ａ、９Ｂ、手前側に略部分楕円形の凹部１０Ａ、１０Ｂが形成されている。凹部９Ａ、９Ｂ、１０Ａ、１０Ｂは同一の形状に形成されている。
【００１１】
長溝部５Ａ、５Ｂは、例えば図５に示すホルムアルデヒドの測定が可能なワニ口クリップ付パッシブサンプラー２０（アドバンスト・ケミカル・センサー社製、測定バッジＦ（ホルムアルデヒド用））などのワニ口クリップ２１を噛合（クリップ止め）して支持させるためのものであり、縁付縦穴部６Ａ、６Ｂは例えば図６（１）、（２）に示すホルムアルデヒドの測定が可能なキャップ付パッシブサンプラー３０（シグマアルドリッチジャパン株式会社製、アルデヒド・ケトン捕集用パッシブサンプラーＤＳＤ−ＤＮＰＨ）またはＶＯＣの測定が可能なキャップ付パッシブサンプラー４０（シグマアルドリッチジャパン株式会社製、高性能パッシブサンプラーＶＯＣ−ＳＤ（溶剤抽出タイプ））などを上から差し込み、キャップ３１または４１の下面側の周端縁を係止させて縦方向に支持させるためのものであり、段付縦穴部７Ａ、７Ｂは例えば図７（１）に示す小径のＶＯＣの測定が可能なローラ形パッシブサンプラー５０（柴田科学株式会社製、パッシブガスチューブ（有機溶剤用））などの両端の段部５１Ａ、５１Ｂの内、一方を上から差し込み、縦方向に支持させるためのものである。凹部９Ａと９Ｂ、または１０Ａと１０Ｂは、例えば図７（２）に示す大径のＮＯ2 の測定が可能なローラ形パッシブサンプラー６０（柴田科学株式会社製パッシブガスチューブ（ホルムアルデヒド・二酸化窒素用））などの両端部６１Ａ、６２Ｂを上から載置して横向きに支持させるためのものである。凹部９Ａと９Ｂ、または１０Ａと１０Ｂには、図７（１）に示すローラ形パッシブサンプラー５０などを横向きに載置することもできる。
【００１２】
縁付縦穴部６Ａ、６Ｂと段付縦穴部７Ａ、７Ｂが、縦向きで使用するパッシブサンプラー用の第１の種類の支持部であり、凹部９Ａと９Ｂ、１０Ａと１０Ｂが横向きで使用するパッシブサンプラー用の第２の種類の支持部であり、長溝部５Ａ、５Ｂがワニ口クリップで止めて使用するパッシブサンプラー用の第３の種類の支持部である。
未使用時、図５のワニ口クリップ付パッシブサンプラー２０は図示しないアルミ製の密封保存袋に保管されており、図６（１）のキャップ付パッシブサンプラー３０はキャップ３１の下側のネジ部３２をプラスチック製の密封保存容器３３の口元に螺合することで保管されており、図６（２）のキャップ付パッシブサンプラー４０はキャップ４１の下側のＯリング４２をガラス製の密封保存容器４３の口元から挿入することで保管されており、図７（１）、（２）のローラ形パッシブサンプラー５０、６０は図示しないアルミ製の密封保存袋に保管されている。使用時には密封保存袋または密封保存容器から取り出し、測定対象成分を捕集後、元の密封保存袋または密封保存容器に戻す。そして、分析機関へ送り、濃度分析を行なう。
【００１３】
次に、上記した実施例の使用方法を説明する。
台板２に三脚３を取り付け、測定対象の部屋の床から所定高さに支持する。
（Ａ）異なる測定項目を複数種のパッシブサンプラーで同時測定したい場合
（１）例えば、ホルムアルデヒドの測定が可能なワニ口クリップ付パッシブサンプラー２０とＶＯＣの測定が可能なローラ形パッシブサンプラー５０を使用したい場合、長溝部５Ａにワニ口クリップ付パッシブサンプラー２０のワニ口クリップ２１をクリップ止めし、段付竪穴部７Ｂにローラ形パッシブサンプラー５０の一方の端部、例えば５１Ａを差し込み、縦向きに支持させれば良い（図８、図９参照）。
（２）ホルムアルデヒドが測定可能なキャップ付パッシブサンプラー３０とＶＯＣが測定可能なキャップ付パッシブサンプラー４０を使用したい場合、縁付竪穴部６Ａにキャップ付パッシブサンプラー３０を差し込み、縦向きに支持させるとともに、縁付竪穴部６Ｂにキャップ付パッシブサンプラー４０を差し込み、縦向きに支持させれば良い（図１０、図１１参照）。
（３）ホルムアルデヒドを測定可能なキャップ付パッシブサンプラー３０とＶＯＣが測定可能なローラ形パッシブサンプラー５０を使用したい場合、縁付竪穴部６Ａにキャップ付パッシブサンプラー３０を差し込み、縦向きに支持させるとともに、段付竪穴部７Ｂにローラ形パッシブサンプラー５０の一方の端部、例えば５１Ａを差し込み、縦向きに支持させれば良い（図１２、図１３参照）。
（４）ホルムアルデヒドが測定可能なワニ口クリップ付パッシブサンプラー２０とＶＯＣが測定可能なローラ形パッシブサンプラー５０とＮＯ2 が測定可能なローラ形パッシブサンプラー６０を使用したい場合、長溝部５Ａにワニ口クリップ付パッシブサンプラー２０のワニ口クリップ２１をクリップ止めし、段付竪穴部７Ｂにローラ形パッシブサンプラー５０の一方の端部、例えば５１Ａを差し込み、縦向きに支持させ、更にローラ形パッシブサンプラー６０の端部６１Ａ、６１Ｂを係止板８Ａ、８Ｂの凹部９Ａ、９Ｂ（または凹部１０Ａ、１０Ｂ）に載置し、横向きに支持させれば良い（図１４、図１５参照）。
【００１４】
（Ｂ）同じ項目を異なるパッシブサンプラーで同時測定したい場合
（１）ＶＯＣを測定するためにローラ形パッシブサンプラー５０とキャップ付パッシブサンプラー４０を使用したい場合、段付竪穴部７Ａにローラ形パッシブサンプラー５０の一方の端部、例えば５１Ａを差し込み、縦向きに支持させ、縁付竪穴部６Ｂにキャップ付パッシブサンプラー４０を差し込み、縦向きに支持させれば良い。
（２）ホルムアルデヒドを測定するためにワニ口クリップ付パッシブサンプラー２０とキャップ付パッシブサンプラー３０を使用したい場合、長溝部５Ａにワニ口クリップ付パッシブサンプラー２０のワニ口クリップ２１をクリップ止めし、縁付竪穴部６Ｂにキャップ付パッシブサンプラー３０を差し込み、縦向きに支持させれば良い。
【００１５】
（Ｃ）同じ項目を同一のパッシブサンプラーで同時二重測定したい場合
（１）ローラ形パッシブサンプラー５０を２つ用いてＶＯＣを二重測定したい場合、段付竪穴部７Ａと７Ｂに各々ローラ形パッシブサンプラー５０を差し込み、縦向きに支持させれば良い。
（２）キャップ付パッシブサンプラー３０を２つ用いてホルムアルデヒドを二重測定したい場合、縁付竪穴部６Ａ、６Ｂに各々キャップ付パッシブサンプラー３０を差し込み、縦向きに支持させれば良い。
【００１６】
この実施例によれば、１つのパッシブサンプラーセッティング補助具により、ワニ口クリップ付パッシブサンプラー２０、キヤップ付パッシブサンプラー３０、４０、ローラ形パッシブサンプラー５０、６０などのメーカや測定項目の違う多種類のパッシブサンプラーの中から任意に選択した１つまたは２つのパッシブサンプラーを、クリップ止め、縦穴への差し込み、凹部への載置などの簡単な作業でセッティングでき、汎用性及び利便性が非常に高い。
また、同一のパッシブサンプラーも同時に２個セッティングできるので、信頼性を高めるための二重測定も簡単に行なえる。
また、三脚を着脱自在に取り付けるられるので、所望の測定高さに簡単にセッティングすることもでき、未使用時の台板の管理も簡単に行なえる。
【００１７】
なお、上記した実施例では、台板の両端部から中央に掛けて、長溝部、縁付竪穴部、段付縦穴部の順に配置したが、長溝部、段付縦穴部、縁付竪穴部の順に配置しても良い。また、長溝部、縁付竪穴部、段付縦穴部を２つづつ設けるようにしたが、１つづつ設けるようにしても良い。
また、２枚の係止板の凹部により、パッシブサンプラーを横向きに載置できるようにしたが、図１６乃至図１８の変形例に示す如く、２枚の係止板を省略し、長溝部５Ａ、５Ｂ、縁付竪穴部６Ａ、６Ｂ、段付縦穴部７Ａ、７Ｂと中央の三脚取り付け部４を備えたパッシブサンプラーセッティング補助具１００としても良い。
また、三脚と台板が着脱可能としたが、予め、台板を三脚に固着しておくようにしても良い。
【産業上の利用可能性】
【００１８】
本考案は、各種パッシブサンプラーを用いて屋内、屋外で環境測定する場合に適用できる。
【符号の説明】
【００１９】
１、１００  パッシブサンプラーセッティング補助具
２  台板
３  三脚
４  三脚取り付け部
５Ａ、５Ｂ  長溝部
６Ａ、６Ｂ  縁付縦穴部
７Ａ、７Ｂ  段付縦穴部
８Ａ、８Ｂ  係止板
９Ａ、９Ｂ、１０Ａ、１０Ｂ  凹部
２０  ワニ口クリップ付パッシブサンプラー
２１  ワニ口クリップ
３０、４０  キャップ付パッシブサンプラー
３１、４１  キャップ
５０、６０  ローラ形パッシブサンプラー
【図１】
0003162272.tif 000003
【図２】
0003162272.tif 000004
【図３】
0003162272.tif 000005
【図４】
0003162272.tif 000006
【図５】
0003162272.tif 000007
【図６】
0003162272.tif 000008
【図７】
0003162272.tif 000009
【図８】
0003162272.tif 000010
【図９】
0003162272.tif 000011
【図１０】
0003162272.tif 000012
【図１１】
0003162272.tif 000013
【図１２】
0003162272.tif 000014
【図１３】
0003162272.tif 000015
【図１４】
0003162272.tif 000016
【図１５】
0003162272.tif 000017
【図１６】
0003162272.tif 000018
【図１７】
0003162272.tif 000019
【図１８】
0003162272.tif 000020